(57)【要約】【課題】絶縁用防護具の表面の防汚性を向上させることにより、絶縁用防護具の表面を伝わる漏電の危険性を低減させると共に、清浄性を保つための点検作業を軽減させる。【解決手段】充電部に接近又は接触して作業する際の事故を防止するために該充電部又はその周辺に設置される絶縁用防護具において、表面に光触媒層を形成する。本発明は、送電線に装着される防護管３や、前記充電部を所定範囲で囲むように設置される防護ネット４、建柱工事の際に電柱の頭部に装着されるポールシートに適用されて特に効果的である。【選択図】図１
2006187129.tif 000002
【特許請求の範囲】
【請求項１】
充電部に接近又は接触して作業する際の事故を防止するために該充電部又はその周辺に設置される絶縁用防護具において、
表面に光触媒層が形成されていることを特徴とする絶縁用防護具。
【請求項２】
送電線に装着される防護管であることを特徴とする請求項１記載の絶縁用防護具。
【請求項３】
前記充電部を所定範囲で囲むように設置される防護ネットであることを特徴とする請求項１記載の絶縁用防護具。
【請求項４】
建柱工事の際に電柱の頭部に装着されるポールシートであることを特徴とする請求項１記載の絶縁用防護具。
【請求項５】
基材が樹脂からなることを特徴とする請求項１〜４のいずれか１つに記載の絶縁用防護具。
【発明の詳細な説明】
【技術分野】
【０００１】
本発明は、建設工事現場等において送電線、トランス（変圧器）等の充電部に接近又は接触して作業する場合に、漏電による感電事故や設備事故（以下「感電事故等」という）を防止することを目的として充電部又はその周辺に設置される絶縁用防護具に関するものである。
【背景技術】
【０００２】
活線作業又は活線近接作業を行う際には、感電事故等を防止するために、各種法令（労働安全衛生法等）により定められた基準を満たす器具の使用が義務付けられている。このような器具に関するものとして、図１及び図２に示すように、絶縁性の物質からなり送電線（架空電線）１に装着される防護管３（特許文献１参照）、図１に示すように、電柱の上部に設置されるトランス２周辺の充電部を囲うように設置される防護ネット４、図３に示すように、電柱建替え工事で割り込み建柱を行う際、地絡短絡工事を防止するために電柱の頭部に装着されるポールシート９等が知られている。
【０００３】
また、本発明と技術的な関連を有する公知技術として、送電線を支持するための碍子において、碍子本体、ピン及び金具とを含む露出面が、光触媒半導体金属及び導電性金属粒子を含む無機材料のみからなる光触媒機能層で被覆されたものが開示されている（特許文献２参照）。
【０００４】
光触媒は、ＴｉＯ2を含む被覆層に紫外線が照射されることにより、防汚、抗菌、清浄保持等の作用を奏するものである。光触媒層に紫外線が照射されると、その表面に活性酸素及び親水基が生成され、この活性酸素の作用により、汚れ、細菌等の有害物質が酸化分解され、防汚、無害化、脱臭等の効果が得られ、また親水基の作用により、有機性の汚れ、細菌等が付着し難くなると共に、太陽光と雨水を利用したセルフクリーニング効果が得られる。
【特許文献１】特開２００３−２８９６１５号公報
【特許文献２】特開２００１−１４３５５１号公報
【発明の開示】
【発明が解決しようとする課題】
【０００５】
上記したような送電線に装着される防護管、送電線やトランス等の充電部を含む所定範囲を囲むように設置される防護ネット、建柱工事の際に電柱の頭部に装着されるポールシート等の絶縁用防護具は、その表面（防護ネットにあっては加えて網目）に海水の飛沫や融雪剤の飛沫等の塵・ほこり（以下「ほこり等」という）が付着すると、水滴との協働により、導電性が増大し、本体の絶縁性が十分であっても、その表面を伝わって漏電する場合があった。このようなほこり等の付着に起因する漏電により、地絡による停電事故、作業者への感電事故、外部施設や樹木等との接触による漏電火災、防護具自体の炎上等の危惧があった。また、これらの大きな事故に至らなくても、漏電による発熱により、本体を構成する絶縁性の基材にトラッキングが生じ、絶縁性能の低下、本体の破損等の危惧があった。従って、絶縁用防護具はその表面が清浄に維持されていることが機能上重要なものであり、そのための定期点検が必要不可欠な作業となっている。そして、上述のような事故が発生しないように、この定期点検を頻繁に行わざるを得なかった。
【０００６】
そこで、本発明は、絶縁用防護具の表面の防汚性を向上させることにより、絶縁用防護具の表面を伝わる漏電の危険性を低減させると共に、清浄性を保つための点検作業を軽減させることを課題とする。
【課題を解決するための手段】
【０００７】
上記課題を解決するために、本発明は、充電部に接近又は接触して作業する際の事故を防止するために該充電部又はその周辺に設置される絶縁用防護具において、表面に光触媒層が形成されていることを特徴とするものである（請求項１）。
【０００８】
絶縁用防護具の表面に光触媒層を形成することにより、ほこり等の汚損物が付着し難くなり、また付着した汚損物に対する洗浄性が向上する。これにより、絶縁用防護具の表面を伝わる漏電の危険性を低減させることができる。また、太陽光と雨水によるセルフクリーニング効果により、絶縁用防護具の表面を清浄に保つための点検作業の頻度を少なくすることができる。
【０００９】
また、上記請求項１記載の構成は、送電線に装着される防護管、前記充電部を所定範囲で囲むように設置される防護ネット、或いは建柱工事の際に電柱の頭部に装着されるポールシートに対して特に効果的である（請求項２，３，４）。
【００１０】
防護管は、樹木等への接触の機会が比較的多いため、その表面にほこり等が付着していると、上述したような重大な事故を誘発する危険が大きい。また、ポールシートについても、導電性のある電柱に巻いて使用するため、その表面にほこり等が付着していると、同様に事故を誘発する危険がある。従って、光触媒層により表面の清浄保持性を向上させることにより、安全性を向上させることができる。また、防護ネットは、その網目にほこりが溜まりやすいため、表面を伝わる漏電が発生した場合に、他の絶縁用防護具に比べて炎上の危険が大きいといった特性がある。従来の防護ネットにおいては、網目にほこりが付着しやすく、また一度付着したほこりの除去が困難であったが、本発明によれば光触媒層の作用により、網目にほこりが付着し難くなると共に除去しやすくなる。
【００１１】
また、本発明は、上記請求項１〜４のいずれか１つに記載の構成において、基材が樹脂からなる絶縁用防護具において好適である（請求項５）。
【００１２】
ポリエチレン等の樹脂は、紫外線が照射されることにより重合鎖が切断され劣化していく性質を持つが、本構成のように、樹脂を基材（絶縁部）とする絶縁用防護具の表面に光触媒層を形成することにより、基材へ到達する紫外線量が低減されるので、基材の劣化が遅延され、性能の維持、使用寿命の長期化を実現することができる。
【発明の効果】
【００１３】
上記のように、本発明によれば、絶縁用防護具の表面の防汚性が向上するので、絶縁用防護具の表面を伝わる漏電の危険性が低減されると共に、清浄性を保つための点検作業を軽減させることができる。
【発明を実施するための最良の形態】
【００１４】
以下、添付した図面を参照して本発明の実施例を説明する。本発明にかかる絶縁用防護具は、図１〜図３に示すような建設工事現場等において、送電線１、トランス２等の充電部に接近又は接触して作業する場合や、電柱建替え工事で割り込み建柱を行う場合等に、充電部近傍の作業者５、工事用設備６，７、樹木８等への感電及び漏電を防止する対策として充電部又はその周辺に設置される絶縁用防護具３，４，９に関するものである。
【実施例１】
【００１５】
本実施例にかかる絶縁用防護具は、図１及び図２中、１で示す送電線を絶縁するために、図４（ａ）に示すように、送電線１に装着（外設）される防護管３である。本発明は、防護管３の構造に限定されるものではないが、ここで示す防護管３には、送電線１への着脱を可能にするために本体部１０の全長に渡って形成された開閉部１１、この開閉部１１を固定及び解除する手段１２、また図示しないが、長手方向の両端部には隣接する防護管（例えば図２中、３ａ，３ｂ）を相互に連結する手段等が設けられている。
【００１６】
本実施例にかかる防護管３は、本体部１０の一部拡大断面図である図４（ｂ）に示すように、ポリエチレン等からなる基材１５と、ＴｉＯ2を主成分とする光触媒層１６とを有して構成されている。光触媒層１６は、基材１５の外側の表面の全体、又は一部に形成されている。
【００１７】
前記光触媒層１６の作用により、防護管３の表面にほこり等の汚損物が付着し難くなり、また付着した汚損物に対する洗浄性が向上する。これにより、ほこり等と水滴との協働による防護管３表面の導電性の増大を防ぐことができるので、漏電の危険性を低減させることができる。また、太陽光と雨水によるセルフクリーニング効果により、防護管３の表面を清浄に保つための点検作業の頻度を少なくすることができる。
【実施例２】
【００１８】
本実施例にかかる絶縁用防護具は、図１中、トランス２周辺の部分を囲むように設置される防護ネット４である。図５（ａ）に示す本実施例にかかる防護ネット４は、柔軟性を有する帯形状のものであり、ポリエチレン等からなる基材２０に視認性を確保するための複数の網目２１が形成されてなるものである。
【００１９】
本実施例にかかる防護ネット４は、その一部拡大断面図である図５（ｂ）に示すように、基材２０と、ＴｉＯ2を主成分とする光触媒層２２とを有して構成されている。光触媒層２２は、基材２０の外側と内側（図中上下面）、及び網目２１内部の表面に形成されている。
【００２０】
前記光触媒層２２の作用により、防護ネット４の表面及び網目２１内部にほこり等の汚損物が付着し難くなり、また付着した汚損物に対する洗浄性が向上する。これにより、ほこり等と水滴との協働による防護ネット４表面の導電性の増大を防ぐことができるので、漏電の危険性を低減させることができる。また、太陽光と雨水によるセルフクリーニング効果により、防護ネット４の表面及び網目２１内を清浄に保つための点検作業の頻度を少なくすることができる。
【実施例３】
【００２１】
本実施例にかかる絶縁用防護具は、図３に示すように、電柱建替え工事で割り込み建柱を行う場合等に、電柱３０の頭部に巻き付けることにより装着されるポールシート９である。図６（ａ）に示す本実施例にかかるポールシート９は、柔軟性を有する帯形状のものであり、ポリエチレン等の基材３２からなるものである。
【００２２】
本実施例にかかるポールシート９は、その一部拡大断面図である図６（ｂ）に示すように、基材３２と、ＴｉＯ2を主成分とする光触媒層３３とを有して構成されている。光触媒層３３は、基材３２の外側の表面の全体、又は一部に形成されている。
【００２３】
前記光触媒層３３の作用により、ポールシート９の表面にほこり等の汚損物が付着し難くなり、また付着した汚損物に対する洗浄性が向上する。これにより、ほこり等と水滴との協働によるポールシート９表面の導電性の増大を防ぐことができるので、漏電の危険性を低減させることができる。また、太陽光と雨水によるセルフクリーニング効果により、ポールシート９の表面を清浄に保つための点検作業の頻度を少なくすることができる。
【図面の簡単な説明】
【００２４】
【図１】図１は、本発明の絶縁用防護具（防護管、防護ネット）が適用される状況の一例を示す図である。
【図２】図２は、本発明の絶縁用防護具（防護管）が適用される状況の一例を示す図である。
【図３】図３は、本発明の絶縁用防護具（ポールシート）が適用される状況の一例を示す図である。
【図４】図４（ａ）は、実施例１にかかる防護管の構造例を示す図であり、図４（ｂ）は、該防護管の一部拡大断面図である。
【図５】図５（ａ）は、実施例２にかかる防護ネットの構造例を示す図であり、図５（ｂ）は、該防護ネットの一部拡大断面図である。
【図６】図６（ａ）は、実施例３にかかるポールシートの構造例を示す図であり、図６（ｂ）は、該ポールシートの一部拡大断面図である。
【符号の説明】
【００２５】
１  送電線
２  トランス
３  防護管
４  防護ネット
９  ポールシート
１５，２０，３２  基材
１６，２２，３３  光触媒層
２１  網目
【図１】
2006187129.tif 000003
【図２】
2006187129.tif 000004
【図３】
2006187129.tif 000005
【図４】
2006187129.tif 000006
【図５】
2006187129.tif 000007
【図６】
2006187129.tif 000008